(57)【特許請求の範囲】
【請求項１】
底面部と、
前記底面部から起立する奥壁部、前壁部及び一対の側壁部と、
前記底面部における前記前壁部と前記側壁部とが交わる角部に設けられ、平面視で略三角形状に前記底面部から隆起する第１デッキ部と、を備え、
前記底面部は、平面視において矩形形状に形成され、
前記第１デッキ部は、前記前壁部と前記一対の側壁部との境界部分近傍にそれぞれ設けられる流し台用シンク。
【請求項２】
前記第１デッキ部の高さは、該流し台用シンクの深さの１５％〜３０％である請求項１に記載の流し台用シンク。
【請求項３】
前記底面部における前記奥壁部と前記一対の側壁部の一方の側壁部との境界部分近傍に設けられ、前記奥壁部よりも奥側に凹むと共に前記第１デッキ部の高さと略等しくなるように隆起する第２デッキ部を更に備える請求項１又は２に記載の流し台用シンク。
【請求項４】
前記第１デッキ部と前記第２デッキ部との間に掛け渡されて配置されるブリッジ部材を更に備える請求項３に記載の流し台用シンク。
【請求項５】
前記第２デッキ部における前記奥壁部よりも奥側に凹んだ凹み部と底面部との間を仕切る仕切り部材を更に備える請求項３又は４に記載の流し台用シンク。
【請求項６】
合成樹脂部材により一体成型されて形成される請求項１〜３のいずれかに記載の流し台用シンク。
【発明の詳細な説明】
【技術分野】
【０００１】
本発明は、流し台用シンクに関する。
【背景技術】
【０００２】
従来より、台所等に配置される流し台は、上面が略水平面となったカウンターと、このカウンターに配置され、カウンターの上面から下方に窪む流し台用シンクと、を備える。また、流し台を利用する場合に用いる洗剤やスポンジを配置するための段差部を、流し台の利用者が立つ位置から奥側に設けた流し台用シンクも提案されている（例えば、特許文献１参照）。
【先行技術文献】
【特許文献】
【０００３】
【特許文献１】特開平９−７８６４８号公報
【発明の概要】
【発明が解決しようとする課題】
【０００４】
ところで、流し台用シンクでは、種々の食器や調理器具が洗浄される。そのため、流し台用シンクには、多くの食器や調理器具を収容可能な広いスペースが求められる。特に、流し台の利用者が食器の洗浄等をする場合には、利用者の立ち位置と作業の利便性との関係から、流し台用シンクの奥側に広いスペースを設けることが好ましい。
しかしながら、従来の流し台用シンクでは、広いスペースが求められる流し台用シンクの奥側に段差部を設けているため、流し台の利用者による作業の利便性を十分に向上できなかった。
【０００５】
従って、本発明は、洗剤やスポンジを配置するためのスペースを確保しつつ、流し台の利用者による作業の利便性を向上できる流し台用シンクを提供することにある。
【課題を解決するための手段】
【０００６】
本発明は、底面部と、前記底面部から起立する奥壁部、前壁部及び一対の側壁部と、前記底面部における前記前壁部側に設けられ、該底面部から隆起する第１デッキ部と、を備える流し台用シンクに関する。
【０００７】
また、前記底面部は、平面視において矩形形状に形成され、前記第１デッキ部は、前記前壁部と前記一対の側壁部との境界部分近傍にそれぞれ設けられることが好ましい。
【０００８】
また、前記第１デッキ部は、前記前壁部に沿って設けられていることが好ましい。
【０００９】
また、前記第１デッキ部の高さは、該流し台用シンクの深さの１５％〜３０％であることが好ましい。
【００１０】
また、前記底面部における前記奥壁部と前記一対の側壁部の一方の側壁部との境界部分近傍に設けられ、前記奥壁部よりも奥側に凹むと共に前記第１デッキ部の高さと略等しくなるように隆起する第２デッキ部を更に備えることが好ましい。
【００１１】
また、前記第１デッキ部と前記第２デッキ部との間に掛け渡されて配置されるブリッジ部材を更に備えることが好ましい。
【００１２】
また、前記第２デッキ部における前記奥壁部よりも奥側に凹んだ凹み部と底面部との間を仕切る仕切り部材を更に備えることが好ましい。
【００１３】
また、合成樹脂部材により一体成型されて形成されることが好ましい。
【発明の効果】
【００１４】
本発明によれば、洗剤やスポンジを配置するためのスペースを確保しつつ、流し台の利用者による作業の利便性を向上できる流し台用シンクを提供することができる。
【図面の簡単な説明】
【００１５】
【図１】本発明の第１実施形態における流し台用シンクを示す斜視図である。
【図２】第１実施形態の流し台用シンクを示す平面図である。
【図３】図２のＡ−Ａ線断面図である。
【図４】図２のＢ−Ｂ線断面図である。
【図５】図２のＣ−Ｃ線断面図である。
【図６】本発明の第２実施形態における流し台用シンクを示す図である。
【図７】第２実施形態の流し台用シンクを示す平面図である。
【図８】図７のＤ−Ｄ線断面図である。
【図９】図７のＥ−Ｅ線断面図である。
【図１０】第２実施形態における変形例１を示す部分斜視図である。
【図１１】第２実施形態における変形例２を示す部分斜視図である。
【図１２】第３実施形態における第２デッキ部の部分斜視図である。
【図１３】第３実施形態の第２デッキ部の仕切りを解除した状態を示す図である。
【図１４】第３実施形態における変形例３を示す部分斜視図である。
【図１５】変形例３の仕切りを解除した状態を示す図である。
【図１６】第３実施形態における変形例４を示す部分斜視図である。
【図１７】本発明の第４実施形態における流し台用シンクを示す図である。
【図１８】第４実施形態の流し台用シンクを示す平面図である。
【図１９】図１８のＦ−Ｆ線断面図である。
【発明を実施するための形態】
【００１６】
以下、本発明の第１実施形態について図面を参照しながら説明する。図１は、第１実施系形態の流し台用シンク１を示す斜視図である。図２は、第１実施形態の流し台用シンク１を示す平面図であり、水栓３及び蓋部材１２を省略して示した図である。図３は、図２のＡ−Ａ断面図である。図４は、図２のＢ−Ｂ断面図である。図５は、図２のＣ−Ｃ断面図である。
第１実施形態の流し台用シンク１は、台所や洗面所等に配置される流し台１００の一部を構成する。より具体的には、流し台１００は、流し台本体としてのカウンター１０と、流し台用シンク１と、水栓３と、を備える。
【００１７】
カウンター１０は、上面１０ａが床面から所定の高さに位置すると共に、この上面１０ａが略水平となるように構成される。このカウンター１０の上面１０ａには、流し台用シンク１が収容可能な開口部（図示せず）が形成される。
流し台用シンク１は、カウンター１０に形成された開口を塞ぐように配置される。この流し台用シンク１は、図１に示すように、シンク本体１１と、蓋部材１２と、を備える。
【００１８】
シンク本体１１は、上面が開口した略直方体形状に構成される。シンク本体１１は、図１及び図２に示すように、底面部１３と、前壁部１４と、奥壁部１５と、一対の側壁部１６と、上面部１７と、排水部１８と、第１デッキ部５と、を有する。
【００１９】
底面部１３は、シンク本体１１の底面を構成し、平面視において矩形形状に形成される。底面部１３の上面は、図３及び図４に示すように、平坦面となっており、流し台１００を利用する利用者が立つ手前側ＦＳから奥側ＢＳに向かってわずかに下り傾斜している。また、底面部１３は、図５に示すように、手前側ＦＳ及び奥側ＢＳにおける一端及び他端側から中心側に向かってわずかに下り傾斜している。
本実施形態では、底面部１３は、平面視において、手前側ＦＳと奥側ＢＳとをつなぐ方向である奥行き方向Ｄ１が短く、奥行き方向に直交する幅方向Ｄ２が長い矩形形状に構成される。
【００２０】
前壁部１４は、底面部１３の手前側ＦＳに位置し、底面部１３から起立している。奥壁部１５は、前壁部１４に対向する奥側ＢＳにおいて底面部１３から起立している。一対の側壁部１６は、前壁部１４及び奥壁部１５を繋ぐように底面部１３から起立している。一対の側壁部１６は、前壁部１４及び奥壁部１５に対して略直交する方向に延びている。前壁部１４及び一対の側壁部１６の上端は、図１及び図２に示すように、外方に向かって屈曲されており、この屈曲された部分がカウンター１０の開口に嵌合可能に構成されている。前壁部１４、奥壁部１５及び一対の側壁部１６は、シンク本体１１における外形の寸法を規定する。例えば、シンク本体１１は、長手方向が５５〜９０ｃｍ、短手方向が４５〜６０ｃｍ、高さが１７ｃｍ〜２２ｃｍの寸法を有する。
【００２１】
上面部１７は、奥壁部１５の上端から外方に向かって略水平に延びる。上面部１７における幅方向Ｄ２の中央部あたりには、水栓３を取り付ける水栓取り付け穴１７ａが形成されている。また、上面部１７の外方の縁は、カウンター１０の開口部に嵌合可能に構成されている。
【００２２】
排水部１８は、底面部１３の奥壁部１５側における幅方向Ｄ２の中央部に設けられている。排水部１８は、窪み部１８１と、排水穴１８２と、を備える。窪み部１８１は、底面部１３の一部が下方に窪んで形成される。排水穴１８２は、窪み部１８１の底面の一部に形成される。この排水穴１８２には、排水管（図示せず）が接続される。
【００２３】
第１デッキ部５は、図１に示すように、底面部１３における前壁部１４側で、前壁部１４と一対の側壁部１６との境界部分近傍にそれぞれ設けられている。第１デッキ部５は、前壁部１４と側壁部１６とが交わる角部において、底面部１３から所定の高さ隆起して形成されている。第１デッキ部５は、平面視で略三角形状であり、その上面５１は略平面状に形成される。図４に示すように、第１デッキ部５の底面部１３から上面５１までの高さＨ１は、シンク本体１１の深さＨ２の１５〜３０％である。例えば、第１デッキ部５の高さＨ１は、好ましくは、３ｃｍ〜６ｃｍである。また、第１デッキ部５の前壁部１４及び側壁部１６に沿う側縁５２の長さＬ１は、１４ｃｍ〜１８ｃｍであり、第１デッキ部５は略二等辺三角形に形成されている。ここで、シンク本体１１の深さＨ２とは、底面部１３と排水部１８との境界からシンク本体１１の上端までの間の距離を指す。また、第１デッキ部５の高さＨ１とは、底面部１３と排水部１８との境界から水平に延びる仮想線Ｋと、第１デッキ部５の上面５１との間の距離を指す。
【００２４】
以上のシンク本体１１は、シートモールディングコンパウンド（Ｓｈｅｅｔ  Ｍｏｌｄｉｎｇ  Ｃｏｍｐｏｕｎｄ）や、バルクモールディングコンパウンド（Ｂｕｌｋ  Ｍｏｌｄｉｎｇ  Ｃｏｍｐｏｕｎｄ）等の合成樹脂製の成形材料を用いて、熱圧成形（所定の高温高圧下で行われるプレス成形法）や、真空成形、注型法、ハンドレイアップ法等により成形される。
【００２５】
蓋部材１２は、シンク本体１１における排水部１８を塞ぐと共に、取り外し可能に設けられる。蓋部材１２は、シンク本体１１と同じ材料又は他の合成樹脂、金属等により製造される。
【００２６】
水栓３は、水栓取り付け穴１７ａを挿通するように取り付けられる。この水栓３は、シンク本体１１の上面部１７から上方に延びている。水栓３の下端部は、流し台１００の取り付けられる壁面から引き込まれた水道管（図示せず）に接続されている。水栓３は、シンク本体１１の内方に向かって延びる蛇口部３１を有する。
【００２７】
第１実施形態の流し台用シンク１によれば、以下のような作用効果を奏する。
【００２８】
（１）流し台用シンク１では、利用者の立ち位置と作業の利便性との関係から、奥側ＢＳに広いスペースが求められる。そこで、第１デッキ部５を、底面部１３における前壁部１４側に設けた。これにより、手前側ＦＳに設けた第１デッキ部５に洗剤やスポンジ等の小物を配置できるので、流し台用シンク１の奥側ＢＳに広いスペースを確保できる。よって、洗剤やスポンジを配置するためのスペースを確保しつつ、流し台１００の利用者による作業の利便性を向上できる。
【００２９】
（２）第１デッキ部５を、前壁部１４と前記一対の側壁部１６との境界部分近傍にそれぞれ設けた。これにより、複数の小物を第１デッキ部５に配置できる。また、流し台１００の利用者が右利きであっても左利きであっても、利き手で使う小物を第１デッキ部５に配置できるので、流し台１００の利用者による作業の利便性をより向上できる。
【００３０】
（３）第１デッキ部５の高さを、流し台用シンク１の深さの１５％〜３０％に形成した。これにより、第１デッキ部５に小物を置いた場合、置いた小物がシンク本体１１の上端を越えにくく、シンク本体１１の内側に納まりやすい。よって、シンク本体１１の周りのスペースを広くとることができる。また、利用者が流し台１００の手前側ＦＳで作業をしやすい。
【００３１】
（４）シンク本体１１を、合成樹脂部材により一体成型して形成した。これにより、第１デッキ部５のような変形箇所を容易に成形することができる。
【００３２】
（５）底面部１３を、前壁部１４から奥壁部１５側に向かって緩やかに傾斜させた。また、底面部１３を、一対の側壁部１６から排水部１８側に向かって緩やかに傾斜させた。流し台１００の利用者は、主に底面部１３の中央から奥壁部１５側で食器等の洗浄を行うので、底面部１３の手前側ＦＳにはあまり水がかからない。更に、底面部１３を奥壁部１５側に向かって緩やかに傾斜させたので、水栓３から流した水を前壁部１４側、特に、第１デッキ部５が設けられた前壁部１４と一対の側壁部１６とが交わる隅の部分により水を届きづらくできる。よって、第１デッキ部５に配置した洗剤やスポンジ等に、ゆすぎ等で汚れた水をかかりにくくできるので衛生的である。
【００３３】
次に、本発明の第２実施形態に係る流し台用シンク１Ａについて、図６〜９を参照しながら説明する。図６は、第２実施形態の流し台用シンク１Ａを示す斜視図である。図７は、第２実施形態における流し台用シンクを示す平面図である。図７において、水栓３及び蓋部材１２は省略されている。図８は、図７のＤ−Ｄ断面図である。図９は、図７のＥ−Ｅ断面図である。
尚、第２実施形態以降の説明にあたって、同一構成要件については同一符号を付し、その説明を省略もしくは簡略化する。
【００３４】
第２実施形態の流し台用シンク１Ａは、主として、シンク本体１１が凹み部９及び第２デッキ部６を有する点において、第１実施形態と異なる。
【００３５】
凹み部９は、奥壁部１５の一部が更に奥側ＢＳに凹んで形成される。凹み部９は、図６及び７に示すように、奥壁部１５と側壁部１６の境界部近傍に形成される。
【００３６】
第２デッキ部６は、図８及び図９に示すように、シンク本体１１における一対の側壁部１６のうち一方の側壁部１６側で、奥壁部１５とこの一方の側壁部１６の境界部近傍に設けられる。本実施形態では、第２デッキ部６は、凹み部９に設けられる。
第２デッキ部６は、平面視で略矩形形状を有する。
【００３７】
第２デッキ部６は、底面部１３から隆起している。図８に示すように、第２デッキ部６の上面６１の高さＨ３は、第１デッキ部５の上面５１の高さＨ２と略等しくなるように形成されている。第２デッキ部６の上面６１は平面状に形成され、ほぼ水平面となっている。
【００３８】
次に、図１０及び図１１により、第２実施形態の流し台用シンク１Ａの変形例について説明する。図１０は、第２実施形態の流し台用シンク１Ａの変形例１の部分斜視図である。変形例１の流し台用シンク１Ａは、第１デッキ部５と第２デッキ部６との間に掛け渡されて配置されるブリッジ部材としての水切りかご７１を更に備える。
【００３９】
水切りかご７１は、細長い棒状の部材が長手方向及び短手方向において互いに交差する網状のかごである。水切りかご７１は、長手方向における一端部及び他端部が第１デッキ部５の上面５１及び第２デッキ部６の上面６１の上にそれぞれ載置されて掛け渡される。水切りかご７１は、側壁部１６の長さよりもわずかに短い側縁と、第２デッキ部６の長手方向の側縁６２よりもわずかに短い側縁とを有する。水切りかご７１は、長手方向に延びる側縁が側壁部１６に沿うように配置される。
【００４０】
図１１は、流し台用シンク１Ａにおける変形例２の部分斜視図である。変形例２の流し台用シンク１Ａは、ブリッジ部材として水切り板７２を備える。水切り板７２は、長方形の板部材に、複数の貫通穴７２ａが設けられて形成されている。貫通穴７２ａは、板部材の全面に等間隔で設けられている。水切り板７２は、水切りかご７１と同様に、第１デッキ部５及び第２デッキ部６に掛け渡し可能な寸法を備える。
【００４１】
以上の水切りかご７１及び水切り板７２の材質は、合成樹脂、ステンレス、金属にビニルコーティングを施したもの等、公知の材質であってよい。
【００４２】
第２実施形態の流し台用シンク１Ａによれば、上述した（１）〜（５）の作用効果を奏する他、以下のような作用効果を奏する。
【００４３】
（６）奥壁部１５よりも奥側に凹むと共に第１デッキ部５の高さと略等しくなるように隆起する第２デッキ部６を設けた。これにより、奥壁部１５よりも更に奥まった部分に小物等を置くことができる。よって、流し台用シンク１Ａに十分な作業スペースを確保することができる。
【００４４】
（７）第１デッキ部５と第２デッキ部６との間に掛け渡されて配置されるブリッジ部材を設けた。水切りかご７１を掛け渡した場合、水切りかご７１が底面部１３から隆起する第１デッキ部５及び第２デッキ部６の上に載置される。これにより、洗い終わった食器等を水切りかご７１に置いても、食器等がカウンター１０の上から大きくはみ出さず、場所をとりにくい。よって、シンク本体１１の周りで広いスペースを生むことができる。
また、そばやうどん等の麺類や、菜っ葉類を茹でた後、水切りかご７１の上に茹でた麺類や菜っ葉類を入れたかごを置くと、水切りかご７１と底面部１３との間がわずかしか離れていないため、かごから垂れる茹で水が跳ねにくい。更に、麺類や菜っ葉類を入れたかごを底面部１３に直に置くことなく水が切れるので、衛生的である。
【００４５】
水切り板７２を掛け渡した場合も、水切りかご７１とほぼ同様の作用効果が奏される。水切り板７２は、水切りかご７１と比較して厚みがあるので、水切りかご７１よりも大きな荷重に耐えることができる。
【００４６】
次に、本発明の第３実施形態に係る流し台用シンク１Ｂについて、図１２〜１６を参照しながら説明する。図１２は、流し台用シンク１Ｂにおける第２デッキ部６の部分斜視図である。図１３は、図１２の流し台用シンク１Ｂにおいて、仕切り部材８を移動させて仕切りを解除した状態を示す図である。
【００４７】
第３実施形態の流し台用シンク１Ｂは、凹み部９と底面部１３との間を、底面部１３に対して略垂直方向に仕切る仕切り部材８を備える点において、第２実施形態と異なる。
【００４８】
仕切り部材８は、水平方向に移動可能な細長部材８１と、この細長部材８１を奥壁部１５に留める留め具８２により構成される。細長部材８１は、互いに平行に延びる二本の細い棒状の部材により構成される。細長部材８１は、長手方向の一方及び他方で二本の棒状の部材が繋がるように形成されており、細長部材８１の長手方向における端部はＵ字状に形成されている。留め具８２は、奥壁部１５に固定されると共に、両端が細長部材８１のスライド方向に開口した筒状に形成されている。留め具８２は、筒の内部に、棒状の部材の一方と他方がスライドする部分を２室に分ける境界部８２ａを有する。境界部８２ａは、細長部材８１がスライドした際にＵ字状の部分を留めるように構成されている。
【００４９】
細長部材８１を第２デッキ部６が設けられている側の側壁部１６の方へスライドさせると、図１２に示すように、凹み部９と底面部１３との間を、底面部１３に対して略垂直方向に仕切ることができる。また、細長部材８１を第２デッキ部６が設けられている側の側壁部１６から遠ざけるようにスライドさせると、図１３に示すように、凹み部９と底面部１３との間の仕切りを解除することができる。
【００５０】
図１４は、流し台用シンク１Ｂにおける変形例３の部分斜視図である。図１５は、変形例３の使用の状態を示す図である。変形例３の仕切り部材８は、板状の部材８３と、この板状の部材８３を周方向に移動可能に奥壁部１５に留める軸部８４により構成される。板状の部材８３は、一方の端部側において、軸部８４に回転可能に嵌合する。板状の部材８３は、軸部８４に水平方向から垂直方向に９０度回転できるように留められる。
【００５１】
板状の部材８３を水平方向に向くように回転させると、図１４に示すように、凹み部９と底面部１３との間を、底面部１３に対して略垂直方向に仕切ることができる。また、板状の部材８３を略垂直方向に回転させると、図１５に示すように、凹み部９と底面部１３との間の仕切りを解除することができる。
【００５２】
図１６は、流し台用シンク１Ｂの変形例４の部分斜視図である。変形例４の仕切り部材８は、板部材８６により構成される。板部材８６は、一端が奥壁部１５に、他端が第２デッキ部６が設けられている側の側壁部１６に固定される。板部材８６によれば、凹み部９と底面部１３との間を、底面部１３に対して略垂直方向に仕切ることができる。
【００５３】
第３実施形態の流し台用シンク１Ｂによれば、上述した（１）〜（７）の作用効果を奏する他、以下のような作用効果を奏する。
【００５４】
（８）第２デッキ部６における奥壁部１５よりも奥側に凹んだ凹み部９と底面部１３との間を仕切る仕切り部材８を設けた。これにより、第２デッキ部６に、洗剤や歯ブラシ等の、縦長で、立てて収納する小物を置いた際、仕切り部材８により小物の転倒が防止される。よって、安定して縦長の小物を立てて置くことができる。
また、第２デッキ部６に、石鹸等、滑りやすい小物を置いた際にも、仕切り部材８により第２デッキ部６に置いた物が底面部１３に落ちることを防止できる。
【００５５】
次に、本発明の第４実施形態に係る流し台用シンク１Ｃについて、図１７〜１９を参照しながら説明する。図１７は、第４実施形態の流し台用シンク１Ｃを示す斜視図である。図１８は、第４実施形態における流し台用シンクを示す平面図である。図１８において、水栓３及び蓋部材１２は省略されている。図１９は、図１８のＦ−Ｆ線断面図である。
【００５６】
第４実施形態の流し台用シンク１Ｃは、主として、第１デッキ部５Ｃが前壁部１４に沿って設けられている点で第２実施形態と異なる。図１８及び図１９に示すように、第４実施形態の流し台用シンク１Ｃは、第２実施形態と同様に第２デッキ部６を有している。
【００５７】
第１デッキ部５Ｃは、流し台用シンク１Ｃの前壁部１４において、一方の側壁部１６側から他方の側壁部１６側に延びるように形成されている。第１デッキ部５Ｃは、前壁部１４から水平に延びる上面５１と、上面５１の奥側で前壁部１４の延びる方向に沿う側縁５３を有する。第１デッキ部５Ｃは、図１８に示すように、上面５１における前壁部１４から側縁５３までの奥行き方向Ｄ１の長さＬ２が、第２デッキ部６の上面６１における奥行き方向の長さＬ３よりも短くなるように形成されている。
【００５８】
第１デッキ部５Ｃは、第１デッキ部５の上面５１の高さＨ２と、第２デッキ部６の上面６１の高さＨ３とが、略等しくなるように形成されている。第１デッキ部５Ｃは、上面５１と第２デッキ部６の上面６１とが略同一の水平面上となるように形成されている。
【００５９】
第２デッキ部６は、第４実施形態では、流し台用シンク１Ｃの幅方向Ｄ２における両側に、左右対称に二つ設けられている。
【００６０】
第４実施形態の流し台用シンク１Ｃによれば、上述した（１）〜（８）の作用効果を奏する他、以下のような作用効果を奏する。
【００６１】
（９）第１デッキ部５Ｃを前壁部１４に沿って設けると共に、第２デッキ部６を流し台用シンク１Ｃの幅方向Ｄ２における両側に設けた。これにより、水切りかご７１や水切り板７２を流し台用シンク１Ｃの両側に配置することができる。また、利用者の利用しやすい方を選んで一方に配置することができる。
【００６２】
（１０）第１デッキ部５Ｃの上面５１における奥行き方向の長さＬ２を、第２デッキ部６の上面６１における奥行き方向の長さＬ３よりも短く構成した。これにより、第２デッキ部６の上面６１と、第１デッキ部５Ｃの上面５１とに水切りかご７１等を掛け渡した場合でも、水切りかご７１から落ちた水が、第２実施形態と比べて底面部１３に落ちやすく、水が切りやすい。
【００６３】
以上、本発明の好ましい各実施形態について説明したが、本発明は、上述した各実施形態に制限されるものではなく、適宜変更が可能である。
例えば、第１実施形態〜第４実施形態では、第１デッキ部５の上面５１及び第２デッキ部６の６１を平坦面により構成したが、これに限らない。即ち、第１デッキ部の上面及び第２デッキ部の上面に、半球状の複数の凸部を設けてもよい。これにより、第１デッキ部の上面及び第２デッキ部の上面に置いた小物が滑ることを防げる。
【００６４】
また、第１実施形態〜第４実施形態では、シンク本体１１をＳＭＣ又はＢＭＣ等の樹脂部材により構成したが、これに限らない。即ち、シンク本体をステンレス等の金属部材を成形して構成してもよい。
【００６５】
また、第１実施形態〜第４実施形態では、シンク本体１１は略直方体のものとして説明したが、これに限らない。シンク本体は前壁部側に第１デッキ部５を設けることが可能であれば、略立方体、略楕円形、複数の曲線からなる瓢箪形状等、所望の形状であってよい。
【符号の説明】
【００６６】
１、１Ａ、１Ｂ、１Ｃ    流し台用シンク
５、５Ｃ    第１デッキ部
６    第２デッキ部
７    ブリッジ部材
８    仕切り部材
９    凹み部
１３  底面部
１４  前壁部
１５  奥壁部
１６  側壁部
【図１】
0006054619.tif 000002
【図２】
0006054619.tif 000003
【図３】
0006054619.tif 000004
【図４】
0006054619.tif 000005
【図５】
0006054619.tif 000006
【図６】
0006054619.tif 000007
【図７】
0006054619.tif 000008
【図８】
0006054619.tif 000009
【図９】
0006054619.tif 000010
【図１０】
0006054619.tif 000011
【図１１】
0006054619.tif 000012
【図１２】
0006054619.tif 000013
【図１３】
0006054619.tif 000014
【図１４】
0006054619.tif 000015
【図１５】
0006054619.tif 000016
【図１６】
0006054619.tif 000017
【図１７】
0006054619.tif 000018
【図１８】
0006054619.tif 000019
【図１９】
0006054619.tif 000020